(57)【要約】【課題】可動側金型と固定側金型とを型締めして形成されるキャビティ内に発泡樹脂材料を射出充填した後、可動側金型を後退させて発泡反応を誘起させ、所要形状に成形される発泡樹脂成形品の成形方法並びに成形金型であって、発泡反応時における垂れ下がり変形を防止する。【解決手段】固定側金型６０に対して可動側金型５０を型締めし、発泡樹脂材料Ｍを射出充填した後、可動側金型５０を後退させ、発泡スペースを確保した状態で発泡反応を行なわせて成形したドアトリムロア（発泡樹脂成形品）３０の成形方法であって、このドアトリムロア３０に立体感を付与する縦壁部３３が形成されており、この縦壁部３３の先端内側に段部３４を肉抜き状に形成するために、固定側金型６０の段部６４のコーナー角度αを４５°≦α≦７５°に設定することで、段部面３４ａ、薄肉フランジ３５の底面３５ｂにシワ発生を集中させ、製品表面側の外観性能を良好に維持する。【選択図】図３
2009248436.tif 000002
【特許請求の範囲】
【請求項１】
可動側金型（５０）と固定側金型（６０）との間に画成されるキャビティ（Ｃ）内に発泡樹脂材料（Ｍ）を射出充填した後、可動側金型（５０）を後退させて、発泡スペースを確保した後、上記発泡樹脂材料（Ｍ）を発泡させることにより、所要形状に成形される発泡樹脂成形品（３０）であって、外表面にソリッド層（３０ａ）、内部に発泡層（３０ｂ）を有する発泡樹脂成形品（３０）の成形方法において、
前記発泡樹脂成形品（３０）の周縁の全長、あるいは周縁の一部に縦壁部（３３）が設定され、固定側金型（６０）におけるキャビティ端末に段部（６４）を設けることにより、上記縦壁部（３３）の先端内側に段部（３４）を肉抜き状に形成することで、縦壁部（３３）の板厚（ｔ１）に対して半減された板厚（ｔ２）を有する薄肉フランジ（３５）が縦壁部（３３）の外側面と面一となるように、縦壁部（３３）の先端に薄肉フランジ（３５）を延設形成するとともに、上記固定側金型（６０）の段部（６４）におけるコーナー角度（α）を４５°≦α≦７５°に設定することで、段部面（３４ａ）及び薄肉フランジ（３５）の底面（３５ｂ）にシワ寄せを集中させたことを特徴とする発泡樹脂成形品の成形方法。
【請求項２】
可動側金型（５０）と固定側金型（６０）との間に画成されるキャビティ（Ｃ）内に発泡樹脂材料（Ｍ）を射出充填した後、可動側金型（５０）を後退させて、発泡スペースを確保した後、上記発泡樹脂材料（Ｍ）を発泡させることにより、所要形状に発泡樹脂成形品（３０）を成形するための成形金型（４０）であって、
前記成形金型（４０）は、所定ストローク可動する可動側金型（５０）と、可動側金型（５０）との間で型締め、型開きされる固定側金型（６０）と、固定側金型（６０）と連設され、発泡樹脂材料（Ｍ）を供給する射出機（７０）とから構成され、可動側金型（５０）と固定側金型（６０）との型締め時には、発泡樹脂成形品（３０）の周縁の全長、あるいは周縁の一部に縦壁部（３３）を形成するための縦壁部用キャビティ（Ｃ１）がキャビティ（Ｃ）の周縁の一部、あるいは全長に設定され、上記縦壁部（３３）の先端内側に段部（３４）を形成するために固定側金型（６０）におけるキャビティ端末に段部（６４）を形成するとともに、この段部（６４）のコーナー角度（α）を４５°≦α≦７５°に設定したことを特徴とする成形金型。
【発明の詳細な説明】
【技術分野】
【０００１】
本発明は、可動側金型と固定側金型とを型締めした後、発泡樹脂材料をキャビティ内に射出充填し、更に、可動側金型を後退させて、発泡スペースを確保した後、発泡反応を開始させ、所要形状に成形してなる発泡樹脂成形品の成形方法並びに成形金型に係り、特に、製品の周縁の全長、あるいは周縁の一部に生じる垂れ下がり変形を解消でき、外観性能並びに隣接部品に対する合わせ精度を高めた発泡樹脂成形品の成形方法並びに成形金型に関する。
【背景技術】
【０００２】
図９は、ドアパネル（図示せず）の室内面側に装着される自動車用ドアトリム１を示すもので、このドアトリム１は、軽量でかつ剛性及び耐衝撃性能に優れ、コストも廉価なことから、ポリプロピレン（ＰＰ）発泡体等の発泡樹脂成形品が多く使用されている。上記ドアトリム１には、室内側に向けて膨出するアームレスト部１ａが一体成形され、このアームレスト部１ａの下方には、ドアポケット用開口１ｂが開設され、更にそのフロント側にスピーカグリル１ｃがドアトリム１と一体、あるいは別体に設けられている。尚、ドアトリム１の周縁の一部にパネル側に向く縦壁部１ｄが一体化されている。
【０００３】
そして、この種発泡樹脂成形品を用いたドアトリム１を所要形状に成形する従来の成形方法について、図１０，図１１を基に説明する。図１０は成形金型の概略構成、図１１は金型のプレスチャート図をそれぞれ示す。成形金型２は、可動側金型３と固定側金型４とから大略構成され、可動側金型３は昇降シリンダ３ａの駆動により、所定ストローク上下動可能であり、固定側金型４に対して型締めが行なわれる。また、固定側金型４には、図示しない射出機が連設されており、この射出機から供給される発泡樹脂材料Ｍが両金型３，４間のキャビティＣ内に射出充填される。ここで、型締め時における初期金型状態においては、可動側金型３の金型位置は図１１のプレスチャート図の（ａ１）位置であり、この状態の時、射出機から発泡樹脂材料Ｍが可動側金型３と固定側金型４との間に画成されるキャビティＣ内に射出充填される。
【０００４】
そして、一定時間経過後、可動側金型３が型開き方向に可動して、プレスチャート図の（ａ２）位置まで型開きし、この位置で発泡反応が行なわれ、最終製品形状のドアトリム１が成形されることになる。すなわち、図１１中（ａ１）位置では、可動側金型３と固定側金型４との間のクリアランスが小さく設定されているため、発泡樹脂材料Ｍの発泡反応を抑えた状態でキャビティＣ内に発泡樹脂材料Ｍを迅速に射出充填することができる。尚、充填された発泡樹脂材料Ｍは、可動側金型３や固定側金型４の型面と接する部位は、ソリッド層が即座に形成されるが、内部は未発泡状態のままである。そして、金型を図１１中（ａ２）位置まで型開きすれば、すなわち、可動側金型３と固定側金型４との間のクリアランスを若干広く設定することで、発泡スペースを確保することができ、ソリッド層内部の発泡樹脂材料の発泡反応を円滑に行なわせることで、ドアトリム１を最終製品形状に成形できる。
【０００５】
このように成形されるドアトリム１の周縁部に形成される縦壁部１ｄにおける成形工程について図１２（ａ）〜（ｄ）を基に説明する。まず、プレスチャート図中（ａ）地点は、可動側金型３と固定側金型４とが型締めされた状態、すなわち、射出充填前の状態であり、図１２（ａ）に示すように、一般部のクリアランス２．０ｍｍに対して縦壁部１ｄのクリアランス２．５ｍｍ以上に設定されている。そして、プレスチャート図中（ｂ）地点では、図１２（ｂ）に示すように、キャビティＣ内に発泡樹脂材料Ｍが射出充填され、特に外表面のソリッド層に固化が始まる状態となる。この時、ソリッド層内部に発泡層を形成するために、図１２（ｃ）に示すように、可動側金型３が上昇して、一般部分のクリアランスが３．６ｍｍまで確保される。尚、図１２（ｃ）の時には、外表面に形成されるソリッド層内部の発泡樹脂材料Ｍは未発泡状態のままである。
【０００６】
その後、図１２（ｄ）に示すように、一般部はもとより縦壁部１ｄにおいても、未発泡状態の発泡樹脂材料Ｍが発泡して、ソリッド層ａ内部に発泡層ｂが形成され、縦壁部１ｄを有するドアトリム１の成形が完了する。上記発泡樹脂成形品の成形方法の従来例については、特許文献１に詳細に記載されている。
【０００７】
【特許文献１】特開２００２−１２０２５２号公報
【発明の開示】
【発明が解決しようとする課題】
【０００８】
このように、従来の発泡樹脂成形品の成形方法においては、特に、ドアトリム１における縦壁部１ｄの先端部分においては、発泡後、ソリッド層ａが足りなくなるため、通常の端末形状ではそのシワが意匠面または裏面Ｒ部に発生し易く、リブ無しタイプにおいては図１３（ａ）に示すように、図中符号Ａで示す箇所での垂れ下がり変形が生じ、外観性能を低下させるという欠点が指摘されている。また、図１３（ｂ）に示すリブ有りタイプの場合には図中符号Ｂで示す箇所に垂れ下がり変形が発生し易い。
【０００９】
従って、発泡樹脂成形品周縁部分の外周ラインが蛇行し易く、外観性能が著しく低下するという欠点があるとともに、隣接部品との間に干渉等の問題が発生し易く、合わせ精度を低下させるという問題点も同時に指摘されている。
【００１０】
この発明は、このような事情に鑑みてなされたもので、可動側金型と固定側金型の型締め後、キャビティ内に発泡樹脂材料を射出充填し、その後、可動側金型を後退させ、発泡スペースを確保した状態で発泡反応を誘起させ、所要形状に成形されるとともに、ソリッド層内部に発泡層を有する発泡樹脂成形品の成形方法において、この発泡樹脂成形品の周縁の全長、あるいは周縁の一部に設けた縦壁部に垂れ下がり変形が生じることを可及的に防止でき、外観見栄えを高めるとともに、隣接部品に対する合わせ精度を向上させた発泡樹脂成形品の成形方法並びに成形金型を提供することを目的とする。
【課題を解決するための手段】
【００１１】
上記目的を達成するために、本発明者等は、鋭意研究の結果、縦壁部の先端部分に対応するキャビティ形状に改良を加えることで垂れ下がり変形を解消できることに着目し、本発明を完成するに至った。
【００１２】
すなわち、本発明は、可動側金型と固定側金型との間に画成されるキャビティ内に発泡樹脂材料を射出充填した後、可動側金型を後退させて、発泡スペースを確保した後、上記発泡樹脂材料を発泡させることにより、所要形状に成形される発泡樹脂成形品であって、外表面にソリッド層、内部に発泡層を有する発泡樹脂成形品の成形方法において、前記発泡樹脂成形品の周縁の全長、あるいは周縁の一部に縦壁部が設定され、固定側金型におけるキャビティ端末に段部を設けることにより、上記縦壁部の先端内側に段部を肉抜き状に形成することで、縦壁部の板厚に対して半減された板厚を有する薄肉フランジが縦壁部の外側面と面一となるように、縦壁部の先端に薄肉フランジを延設形成するとともに、上記固定側金型の段部におけるコーナー角度を４５°≦α≦７５°に設定することで、段部面及び薄肉フランジの底面にシワ寄せを集中させたことを特徴とする。
【００１３】
ここで、発泡樹脂成形品を成形するために使用する成形金型は、可動側金型と固定側金型と、固定側金型に連結されている射出機とから構成される。上記可動側金型は、駆動シリンダの動作により、型開き位置から型締め位置（下死点）まで型締め動作を行なう。更に、発泡樹脂材料の発泡スペースを確保するために、微小ストローク後退し、その後型開き位置まで動作する。すなわち、可動側金型は、型開き位置、型締め位置、型締め位置からややクリアランスを確保した発泡位置の３つのポジションをとることになる。一方、固定側金型には、射出機から供給される発泡樹脂材料を可動側金型と固定側金型との間に画成されるキャビティ内に射出充填するための樹脂通路として、ホットランナ、バルブゲート等が設けられている。また、成形後、発泡樹脂成形品を突き出すためのエジェクタピン等のエジェクタ機構が固定側金型に設けられている。
【００１４】
そして、可動側金型と固定側金型との間で画成されるキャビティ形状において、発泡樹脂成形品の周縁の全長、あるいは周縁の一部に縦壁部が形成されるように、キャビティ周縁部は縦壁部用キャビティが設定され、特に、この縦壁部用キャビティの先端部分には段部が設定されており、縦壁部の先端部分の内側には、段部を肉抜き状に形成することで縦壁部の延長方向に更に延在する薄肉フランジが形成されている。この薄肉フランジは、厚みが薄いため、発泡層を備えることなくソリッド層だけで構成される。薄肉フランジの高さは１．０〜１．５ｍｍである。また、縦壁部の厚みは１．５〜３．５ｍｍであり、その時の薄肉フランジの厚みは、縦壁部の厚みが２．０ｍｍ以下の場合は縦壁部の厚みの１／２であり、縦壁部の厚みが２．０ｍｍ以上の場合は１．０ｍｍに設定されている。
【００１５】
更に、本発明においては、可動側金型が後退した後、発泡成形を行なう際、発生するシワを制御するのに好適な形状として、固定側金型の段部におけるコーナー角度が４５〜７５°の範囲内に設定されている。この時、コーナー角度が４５°未満であれば、段部面の長さ寸法が長寸化してしまい、奥側コーナー縁が下方に突出して、相手部品との合わせ精度に狂いが生じるため好ましくない。逆に、コーナー角度が７５°を超えた場合には、従来と同様、発泡時に発生するシワを制御することができない。尚、縦壁部は、可動側金型の型抜き方向に対して５〜２０°の勾配の抜き角度を確保するために、段部面は水平面を基準として外側を向く傾斜面であり、その傾斜角度は５〜２０°に設定されている。
【００１６】
次いで、発泡樹脂成形品の素材は、熱可塑性樹脂中に発泡剤が混入されたものを使用する。例えば、使用する熱可塑性樹脂は、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等から適宜選択される。そして、熱可塑性樹脂に対して混入する発泡剤としては、アゾジカルボンアミド等の有機発泡剤、あるいは重炭酸ナトリウム等の無機発泡剤を使用している。
【００１７】
従って、可動側金型を下死点まで駆動して、可動側金型と固定側金型とを型締めした状態で両者間に画成されるキャビティ内に発泡樹脂材料を射出充填すれば、時間の経過とともに、型面に当接する部位は、冷却固化することで、ソリッド層が外表面から内部に向けて形成される。そして、一定時間経過後、可動側金型が型開き方向に動作して、可動側金型と固定側金型とのクリアランスが確保された状態で可動側金型を停止させれば、発泡樹脂材料の発泡反応により、ソリッド層内に発泡層が形成され、所定厚みを有する発泡樹脂成形品が所要形状に成形される。
【００１８】
以上の構成から明らかなように、可動側金型と固定側金型との型締め動作により画成されるキャビティ内に発泡樹脂材料を射出充填した後、可動側金型を型開き方向に後退動作させて、発泡スペースを確保した状態で発泡樹脂材料の発泡反応を行なわせ、ソリッド層内に発泡層を備えた発泡樹脂成形品を所要形状に成形できる。その際、製品の周縁全長、あるいは周縁の一部に設けた縦壁部の先端には、ソリッド層のみからなる薄肉フランジが形成されているため、可動側金型の型開き動作により、可動側金型の型面による拘束が解除されていても、薄肉フランジには発泡内圧が加わらないため、変形することがない。更に、縦壁部の先端部分の段部を形成する固定側金型における段部のコーナー角度を４５〜７５°の範囲内に設定することにより、シワ発生を裏面側に集中させることができ、製品端末部分の外観性能を低下させない。
【発明の効果】
【００１９】
以上説明した通り、本発明に係る発泡樹脂成形品の成形方法並びに成形金型は、成形金型のキャビティ内に発泡樹脂材料を射出充填した後、可動側金型を後退動作させて、所定厚みの発泡スペースを確保して、発泡反応を誘起させ、ソリッド層と発泡層とからなる発泡樹脂成形品を所要形状に成形するというものであり、その際、製品の周縁全長、あるいは周縁の一部に縦壁部が設けられ、この縦壁部の先端部分の内側に段部を肉抜き状に形成することで、ソリッド層のみからなる薄肉フランジが縦壁部の先端に形成され、更に、段部を形成するための金型側の段部におけるコーナー角度を４５〜７５°の範囲内に設定したため、発泡時に発生するシワを有効に制御でき、表面に垂れ下がり等の外観不良が生じることがなく、外観性能を高めるとともに、隣接部品に対する合わせ精度を良好に維持できるという効果を有する。
【発明を実施するための最良の形態】
【００２０】
以下、本発明に係る発泡樹脂成形品の成形方法並びに成形金型一実施例を添付図面を参照しながら詳細に説明する。尚、念のため付言すれば、本発明の要旨は特許請求の範囲に記載した通りであり、以下に説明する実施例の内容は、本発明の一例を単に示すものに過ぎない。
【実施例】
【００２１】
図１乃至図８は本発明の一実施例を示すもので、図１は本発明方法を適用して製作したドアトリムロアを備えた上下二分割構造のドアトリムを示す正面図、図２は同ドアトリムの構成を示す断面図、図３は同ドアトリムにおけるドアトリムロアの縦壁部の構成を示す断面図、図４は同ドアトリムにおけるドアトリムロアの成形に使用する成形金型の構成を示す概要図、図５は図４に示す成形金型における可動側金型のプレスチャート図、図６乃至図８は同ドアトリムロアの成形方法における各工程を示す説明図である。
【００２２】
図１，図２において、自動車用ドアトリム１０は、ドアトリムアッパー２０とドアトリムロア３０の上下二分割体から構成されている。上記ドアトリムアッパー２０には、インサイドハンドルエスカッション１１、また、乗員が肘を載せるアームレスト部にはプルハンドル１２やパワーウインドウスイッチフィニッシャー１３が取り付けられている。一方、ドアトリムロア３０には、備品を収容できるドアポケット用開口１４が開設されているとともに、そのフロント側にスピーカグリル１５がドアトリムロア３０と一体、または別体に設けられている。
【００２３】
更に、上記ドアトリムアッパー２０及びドアトリムロア３０の構成については、図２に示すように、ドアトリムアッパー２０は、樹脂芯材２１の表面に表皮２２を貼付してなる積層構造体から構成されており、樹脂芯材２１の素材となる合成樹脂は、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等から適宜選択されて良く、また、所望により合成樹脂にタルク、クレイ、木粉等のフィラーを混入しても良い。一方、表皮２２は、ＴＰＯ（サーモプラスチックオレフィン）に代表される熱可塑性エラストマー樹脂等の合成樹脂シート、あるいはＴＰＯシート裏面にポリエチレンフォーム等のクッション層を裏打ちした積層シート材料等の合成樹脂シートが使用できる。
【００２４】
また、ドアトリムアッパー２０を所望形状に成形するには、射出成形工法、モールドプレス成形工法が量産性を考慮した場合好適である。すなわち、成形金型内に表皮２２をセットし、型締め後、あるいは型締め直前に溶融樹脂に射出充填することで、樹脂芯材２１を所望の曲面形状に成形するとともに、樹脂芯材２１の表面側に表皮２２を一体貼着することができる。一方、ドアトリムロア３０は、本発明では、合成樹脂中に発泡剤が混入された発泡樹脂成形品が使用されており、使用できる合成樹脂は、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等から適宜選択される。また、発泡剤としては、アゾジカルボンアミド等の有機発泡剤、あるいは重炭酸ナトリウム等の無機発泡剤が使用できる。
【００２５】
そして、図１，図２に示すドアトリム１０は、ドアトリムアッパー２０とドアトリムロア３０との外観上のアクセント効果により、良好な製品外観を得られるとともに、成形金型のコンパクト化を図るとともに、特に、ドアトリムロア３０を発泡樹脂成形品から構成することで、軽量化にも大きく貢献している。
【００２６】
ところで、このドアトリムロア３０は、製品表面となる一般部３２に対して一般部３２の両側及び下縁にパネルＰ側に向けて折曲された縦壁部３３が一体に成形され、更に、図３に示すように、その先端部分の内側に段部３４を肉抜き状に形成することで、薄肉フランジ３５が縦壁部３３の先端部分に延設されている。尚、この縦壁部３３は、ドアトリムロア３０に立体感を付与するとともに、剛性を強化するために設けられている。更に、ドアトリムロア３０の内部は、ソリッド層３０ａ内部にセル構造の発泡層３０ｂを含む二層構造になっており、この発泡層３０ｂは、一般部３２から縦壁部３３にかけて延在しているが、薄肉フランジ３５については、ソリッド層３０ａのみで構成されている。
【００２７】
次いで、縦壁部３３、段部３４及び薄肉フランジ３５の特徴的な形状について説明する。すなわち、縦壁部３３の板厚ｔ１は、１．５〜３．５ｍｍに設定され、薄肉フランジ３５の板厚ｔ２は、縦壁部３３の板厚ｔ１が２．０ｍｍ以下の場合はその１／２に、縦壁部３３の板厚ｔ１が２．０ｍｍ以上の場合は１．０ｍｍにそれぞれ設定されている。
【００２８】
そして、本発明の特徴は、特に、段部３４が鋭角状に形成されているため、縦壁部３３端面の形状は段部面３４ａ、薄肉フランジ３５の内側面３５ａ、底面３５ｂのように凹凸状となり、段部面３４ａと薄肉フランジ３５の底面３５ｂに僅かにシワが生じるだけで、優れた外観意匠性が期待できる。尚、縦壁部３３全体には型抜き方向に対して５〜２０°の抜き角度が設けられているとともに、薄肉フランジ３５の高さｈは１．０〜１．５ｍｍに設定されている。
【００２９】
従って、本発明に係るドアトリムロア３０は、縦壁部３３の先端部分にソリッド層３０ａのみからなる薄肉フランジ３５を設定するとともに、鋭角状のコーナー角度をもつ段部３４を設定したため、発泡層３０ｂの内圧の影響を薄肉フランジ３５がそれ程受けることがなく、薄肉フランジ３５のコーナー部での垂れ下がり変形を有効に解消でき、外周ラインが蛇行することがなく、外観性能を良好に維持することができるとともに、隣接部品に対する合わせ精度を高めることができる。
【００３０】
次いで、上記ドアトリムロア３０を成形するために使用する成形金型４０の概略構成について図４を基に説明する。この成形金型４０は、可動側金型５０と、固定側金型６０と、射出機７０とから大略構成されている。更に詳しくは、上記可動側金型５０は、図示しない駆動シリンダの動作により、型締め位置、型開き位置に加えて、発泡位置の３つのポジションをとるように駆動される。一方、固定側金型６０は、射出機７０から供給される溶融樹脂の樹脂通路となるホットランナ６１、バルブゲート６２を通じて型面に溶融樹脂が供給されるとともに、成形後の発泡樹脂成形品を突き出すためのエジェクタピン６３が内装されている。
【００３１】
更に、可動側金型５０と固定側金型６０との間で画成されるキャビティＣ形状に沿って、ドアトリムロア３０が所要形状に成形されるが、ドアトリムロア３０の周縁に縦壁部３３を延設するために、成形金型４０は、キャビティＣの外周部に縦壁部用キャビティＣ１が設定されている。また、縦壁部３３に段部３４を肉抜き状に形成するための段部６４が固定側金型６０に設けられ、この段部６４のコーナー角度αは、４５°≦α≦７５°に設定されていることが特徴である。この時、段部６４のコーナー角度αが４５°未満の場合には段部面３４ａが過度に長くなるため、相手部品との合わせに支障が生じる不具合がある。逆に、段部６４のコーナー角度αが７５°を超える場合には従来と同様、縦壁部３３の表面側にもシワが発生する不具合がある。すなわち、段部６４のコーナー角度αを４５°≦α≦７５°に設定したため、可動側金型５０の後退時においても、固定側金型６０と当接するエリアが多いため、冷却効果が高い。従って、シワ発生は固定側金型６０と非接触部位である段部面３４ａと薄肉フランジ３５の底面３５ｂとに集中させることができ、外観性能に悪影響を及ぼさない。
【００３２】
次いで、図５は、成形金型４０における可動側金型５０のプレスチャート図を示し、図６乃至図８は成形金型４０を使用したドアトリムロア３０の成形工程を経時的に示している。すなわち、可動側金型５０は、型開き位置（図５のプレスチャート図中（ａ）に示すポイント）から下死点（図５のプレスチャート図中（ｂ）に示すポイント）まで下降し、固定側金型６０に対して一定のクリアランスを保つ地点まで可動側金型５０が型締めされる。
【００３３】
そして、固定側金型６０に対する可動側金型５０の型締め後、図６に示すように、射出機７０からホットランナ６１、バルブゲート６２を通じてキャビティＣ内に発泡樹脂材料Ｍが射出充填される。尚、発泡樹脂材料Ｍは、縦壁部用キャビティＣ１にも射出充填される。この時、図示はしないが、外部からキャビティＣ内にエアを強制導入し、発泡樹脂材料Ｍが発泡反応を行なわないようにキャビティＣ内に樹脂を充填するカウンタープレッシャー工法を採用することもできる。
【００３４】
発泡樹脂材料Ｍの射出充填工程が完了すれば、図５のプレスチャート図中（ｃ）〜（ｄ）で示すように、可動側金型５０が型開き方向に後退する。この可動側金型５０の後退動作では、図７に示すように、一般部のクリアランスが３．６ｍｍになるように、後退ストロークの寸法Ｓは１．６ｍｍに設定されている。尚、固定側金型６０に設けられる段部６４の寸法は、可動側金型５０の後退ストロークの寸法Ｓを基準として設定されている。更に、図５のプレスチャート図中（ｄ）〜（ｅ）に示す発泡工程において、ソリッド層３０ａ内の発泡樹脂材料Ｍが発泡して、発泡層３０ｂが形成され、図８に示すように、所定厚みのドアトリムロア３０が成形される。
【００３５】
本発明においては、図７，図８に示す可動側金型５０の後退時、ドアトリムロア３０における縦壁部３３の先端部分に段部３４及び薄肉フランジ３５が形成されるように固定側金型６０に段部６４が設定されているとともに、特に、段部６４のコーナー角度αが、４５°≦α≦７５°に調整されている。従って、ドアトリムロア３０における縦壁部３３の先端部分は薄肉フランジ３５により剛性が強化され、かつ内部樹脂が発泡反応を誘起することなく、ソリッド層３０ａとして固化しているため、発泡内圧が外方に向けて加わることがないとともに、縦壁部３３の端面については、固定側金型６０との当接形態において、段部面３４ａと薄肉フランジ３５の底面３５ｂのように製品裏面側にシワ発生を集中させるため、縦壁部３３の見栄えが良く、隣接部品に対する合わせ精度も向上する作用効果を有する。
【産業上の利用可能性】
【００３６】
以上説明した実施例は、上下二分割構造のドアトリム１０におけるドアトリムロア３０に適用したが、用途はこれに限定されることなく、発泡樹脂成形品全般に適用できる。更に、成形金型４０の構造として、バルブゲート６２を使用する以外に、例えば、サイドゲートタイプを使用することもでき、また、可動側金型５０側にコア部、固定側金型６０側にキャビティ部を設定することもできるとともに、発泡樹脂材料Ｍの射出充填時、キャビティ内に圧空エアを供給するカウンタープレッシャー工法を採用することも可能である。
【図面の簡単な説明】
【００３７】
【図１】本発明方法により成形したドアトリムロアを使用した上下二分割構造のドアトリムを示す正面図である。
【図２】図１中II−II線断面図である。
【図３】図１中III −III 線断面図である。
【図４】図１に示すドアトリムにおけるドアトリムロアを成形するための成形金型の概略構成を示す説明図である。
【図５】図４に示す成形金型における可動側金型のプレスチャート図である。
【図６】図４に示す成形金型を使用してドアトリムロアを成形するドアトリムロアの成形方法における発泡樹脂材料の射出充填工程を示す説明図である。
【図７】図４に示す成形金型を使用してドアトリムロアを成形するドアトリムロアの成形方法における可動側金型の後退動作を示す説明図である。
【図８】図４に示す成形金型を使用してドアトリムロアを成形するドアトリムロアの成形方法における発泡成形工程を示す説明図である。
【図９】従来の自動車用ドアトリムを示す正面図である。
【図１０】従来の自動車用ドアトリムの成形方法に使用する成形金型の概略構成を示す説明図である。
【図１１】従来のドアトリムの成形方法における可動側金型のプレスチャート図である。
【図１２】従来のドアトリムの成形方法における縦壁部の成形工程を示す説明図である。
【図１３】従来の成形方法における不具合を示す説明図である。
【符号の説明】
【００３８】
１０  自動車用ドアトリム
２０  ドアトリムアッパー
３０  ドアトリムロア
３０ａ  ソリッド層
３０ｂ  発泡層
３２  一般部
３３  縦壁部
３４  段部
３４ａ  段部面
３５  薄肉フランジ
３５ａ  内側面
３５ｂ  底面
４０  成形金型
５０  可動側金型
６０  固定側金型
６１  ホットランナ
６２  バルブゲート
６３  エジェクタピン
６４  段部
７０  射出機
Ｃ  キャビティ
Ｃ１  縦壁部用キャビティ
Ｍ  発泡樹脂材料
ｔ１  縦壁部の板厚
ｔ２  薄肉フランジの板厚
ｈ  薄肉フランジの高さ
α  固定側金型における段部のコーナー角度
【図１】
2009248436.tif 000003
【図２】
2009248436.tif 000004
【図３】
2009248436.tif 000005
【図４】
2009248436.tif 000006
【図５】
2009248436.tif 000007
【図６】
2009248436.tif 000008
【図７】
2009248436.tif 000009
【図８】
2009248436.tif 000010
【図９】
2009248436.tif 000011
【図１０】
2009248436.tif 000012
【図１１】
2009248436.tif 000013
【図１２】
2009248436.tif 000014
【図１３】
2009248436.tif 000015